(57)【特許請求の範囲】
【請求項１】
杭の打設時の杭打ち機と前記杭の接触による騒音を防止するための杭打ち機用防音装置であって、
前記杭打ち機と前記杭が接触する部分を覆う段ボールからなるカバーと、
前記カバーの上下開口を塞ぐ段ボールからなる蓋部材と、
前記蓋部材と前記杭打ち機および前記杭との間の隙間に設けられ、この隙間からの音漏れを防止するための音漏れ防止部材と、
前記カバーの内面に設けられ、前記カバーの内部の反射音を低減するための反射音低減部材とを備え、
前記反射音低減部材によって前記カバーの内部の反射音どうしが干渉して打ち消し合うことで、反射音を低減することを特徴とする杭打ち機用防音装置。
【請求項２】
前記音漏れ防止部材は、前記隙間を覆うように設置されるすだれ状の紙材からなることを特徴とする請求項１に記載の杭打ち機用防音装置。
【請求項３】
前記音漏れ防止部材は、前記隙間を塞ぐように密着して設置される紙製のチューブからなることを特徴とする請求項１に記載の杭打ち機用防音装置。
【請求項４】
前記反射音低減部材は、前記カバーの内面に凹凸状に設けられることを特徴とする請求項１〜３のいずれか一つに記載の杭打ち機用防音装置。
【発明の詳細な説明】
【技術分野】
【０００１】
本発明は、鋼管杭などの杭を杭打ち機で打設する際に発生する騒音を防止するための杭打ち機用防音装置に関するものである。
【背景技術】
【０００２】
鋼管杭などの杭打設時には、ハンマーなどの杭打ち機と杭の接触に伴って大きな騒音が発生する。こうした騒音については、例えば、図４に示すように、杭打ち機１のハンマー部２と杭３の上端４の外周に防音用の筒状の鋼製カバー５を設置する等の防音対策が広く実施されている（例えば、特許文献１〜１０を参照）。しかしながら、このような対策では、鋼製カバー５の筒の上下開口６、７の隙間から騒音が外部に漏れることがあり、騒音低減効果は必ずしも十分とはいえなかった。また、この鋼製カバー５は重量物のため取扱いや揚重作業が容易ではなく、さらに現場毎に作製するため高価であるという問題があった。
【先行技術文献】
【特許文献】
【０００３】
【特許文献１】特開２０１３−８７５２５号公報
【特許文献２】特開２０１０−１８０６８９号公報
【特許文献３】特開２００２−５４１３８号公報
【特許文献４】実用新案登録第３０２８５３４号公報
【特許文献５】特開昭５８−１０６０１６号公報
【特許文献６】実開平３−４０３３１号公報
【特許文献７】特開平１０−２９８９８７号公報
【特許文献８】特開平７−２３８５４２号公報
【特許文献９】特開平７−２３８５４５号公報
【特許文献１０】特開平４−７０４１６号公報
【発明の概要】
【発明が解決しようとする課題】
【０００４】
このため、取扱いや揚重作業を容易にするべく、軽量で安価な杭打ち機用防音装置の開発が求められていた。
【０００５】
本発明は、上記に鑑みてなされたものであって、軽量で安価な杭打ち機用防音装置を提供することを目的とする。
【課題を解決するための手段】
【０００６】
上記した課題を解決し、目的を達成するために、本発明に係る杭打ち機用防音装置は、杭の打設時の杭打ち機と前記杭の接触による騒音を防止するための杭打ち機用防音装置であって、前記杭打ち機と前記杭が接触する部分を覆う段ボールからなるカバーと、前記カバーの上下開口を塞ぐ段ボールからなる蓋部材と、前記蓋部材と前記杭打ち機および前記杭との間の隙間に設けられ、この隙間からの音漏れを防止するための音漏れ防止部材と、前記カバーの内面に設けられ、反射音を低減するための反射音低減部材とを備えることを特徴とする。
【０００７】
また、本発明に係る他の杭打ち機用防音装置は、上述した発明において、前記音漏れ防止部材は、前記隙間を覆うように設置されるすだれ状の紙材からなることを特徴とする。
【０００８】
また、本発明に係る他の杭打ち機用防音装置は、上述した発明において、前記音漏れ防止部材は、前記隙間を塞ぐように密着して設置される紙製のチューブからなることを特徴とする。
【０００９】
また、本発明に係る他の杭打ち機用防音装置は、上述した発明において、前記反射音低減部材は、前記カバーの内面に凹凸状に設けられることを特徴とする。
【発明の効果】
【００１０】
本発明に係る杭打ち機用防音装置によれば、杭の打設時の杭打ち機と前記杭の接触による騒音を防止するための杭打ち機用防音装置であって、前記杭打ち機と前記杭が接触する部分を覆う段ボールからなるカバーと、前記カバーの上下開口を塞ぐ段ボールからなる蓋部材と、前記蓋部材と前記杭打ち機および前記杭との間の隙間に設けられ、この隙間からの音漏れを防止するための音漏れ防止部材と、前記カバーの内面に設けられ、反射音を低減するための反射音低減部材とを備えるので、従来技術に比べて軽量で安価な杭打ち機用防音装置を提供することができるという効果を奏する。また、軽量のため取扱いや揚重作業が容易になるとともに、段ボールのカバーと蓋部材により、杭打設時の騒音、特に高音域の騒音の低減効果が期待できる。さらに、段ボールで作製されるため、使用後はリサイクルすることも可能であり、現場のリサイクル率向上に寄与する。
【００１１】
また、本発明に係る他の杭打ち機用防音装置によれば、前記音漏れ防止部材は、前記隙間を覆うように設置されるすだれ状の紙材からなるので、隙間からの音漏れを簡便かつ安価に防止することができるという効果を奏する。
【００１２】
また、本発明に係る他の杭打ち機用防音装置によれば、前記音漏れ防止部材は、前記隙間を塞ぐように密着して設置される紙製のチューブからなるので、チューブにエアーを充てんして密着性を高めることで、隙間からの音漏れを簡便かつ安価に防止することができるという効果を奏する。
【００１３】
また、本発明に係る他の杭打ち機用防音装置によれば、前記反射音低減部材は、前記カバーの内面に凹凸状に設けられるので、カバーの内部の騒音は凹凸状の内面に当たって乱反射する。これら反射音どうしが干渉して打ち消し合うことで、反射音を効果的に低減することができるという効果を奏する。
【図面の簡単な説明】
【００１４】
【図１】図１は、本発明に係る杭打ち機用防音装置の実施の形態１を示す概略斜視図である。
【図２】図２は、本発明に係る杭打ち機用防音装置の実施の形態２を示す鉛直断面図である。
【図３】図３は、本発明に係る杭打ち機用防音装置の実施の形態３を示す鉛直断面図である。
【図４】図４は、従来の杭打ち機用防音装置の一例を示す概略斜視図である。
【発明を実施するための形態】
【００１５】
以下に、本発明に係る杭打ち機用防音装置の実施の形態を図面に基づいて詳細に説明する。なお、この実施の形態によりこの発明が限定されるものではない。
【００１６】
（実施の形態１）
まず、本発明の実施の形態１について説明する。
図１に示すように、本実施の形態１に係る杭打ち機用防音装置１００は、杭打設時の杭打ち機１２と杭１０の接触による騒音を防止するための装置であって、段ボールからなるカバー１４と、カバー１４の上部開口１６、下部開口１８をそれぞれ塞ぐ段ボールからなる上蓋部材２０、下蓋部材２２（蓋部材）と、音漏れ防止部材２４と、反射音低減部材２６とを備える。
【００１７】
杭打ち機１２は、下端に大径円盤状のハンマー部１２ａを有する円柱状のものであり、図外の駆動源により駆動して杭１０の上端を打撃する。杭１０は、円形断面の鋼管杭からなり、その下部は地上または地中に配置されている。
【００１８】
カバー１４は、杭打ち機１２のハンマー部１２ａと杭１０の上端が接触する部分Ａを覆うものであり、一般的な平面板を組み合わせて作られる四角柱状の外観を呈している。言い換えると、このカバー１４は断面四角形の角筒状の形態を有している。なお、カバー１４は断面四角形の角筒状に限るものではなく、断面多角形の角筒状のもので構成してもよく、断面円形の円筒状のもので構成してもよい。
【００１９】
カバー１４、上蓋部材２０、下蓋部材２２は上述したように段ボールからなる。段ボールは、波状に加工した紙を表裏の紙で挟んで接着して強度を持たせた構造であり、加工性に優れた安価な材料である。段ボールの波状の大きさ、形状、組合せ、積層枚数、方向等を適宜調整することで、遮音、吸音作用等の騒音低減性能の調整が可能となるので、所期の騒音低減性能を安価に実現することができる。
【００２０】
音漏れ防止部材２４は、上蓋部材２０と杭打ち機１２との間の隙間と、下蓋部材２２と杭１０との間の隙間に設けられ、この隙間から外部への音漏れを防止するためのものである。
【００２１】
反射音低減部材２６は、カバー１４の内面１４ａに設けられ、反射音を低減するためのものである。
【００２２】
上記構成の動作および作用について説明する。
杭打設時に杭打ち機１２と杭１０との接触により発生する騒音は、段ボールからなるカバー１４と、上蓋部材２０と、下蓋部材２２とにより効果的に低減される。ここで、カバー１４内部の反響音については反射音低減部材２６により低減される。一方、カバー１４の上部開口１６、下部開口１８の隙間からの音漏れは、音漏れ防止部材２４により防がれる。これにより、杭打設時の騒音を低減することができる。
【００２３】
本実施の形態によれば、杭打ち機用防音装置１００を構成するカバー１４、上蓋部材２０、下蓋部材２２がいずれも段ボールからなるので、従来技術に比べて軽量で安価な杭打ち機用防音装置を提供することができる。また、段ボールは軽量のため取扱いや揚重作業が容易になる。また、杭打設時の騒音は一般に高音域が卓越するが、この高音域の騒音の低減効果が期待できる。さらに、段ボールで作製されるため、使用後はリサイクルすることも可能であり、現場のリサイクル率向上に寄与する。
【００２４】
（実施の形態２）
次に、本発明の実施の形態２について説明する。
図２に示すように、本実施の形態２に係る杭打ち機用防音装置２００は、上記の実施の形態１の音漏れ防止部材２４をすだれ状の紙材２４Ａで構成するとともに、反射音低減部材２６を複数のリブ２６Ａで構成したものである。本実施の形態によっても、上記の実施の形態１と同様の作用効果を奏することができる。
【００２５】
すだれ状の紙材２４Ａは、上蓋部材２０と杭打ち機１２との間の隙間を覆うように設けられる。紙材２４Ａは、一端が上蓋部材２０の内端の上下縁に固定され、他端が杭打ち機１２の外面に沿って当接配置される。このすだれ状の紙材２４Ａを隙間に覆うように設けることで、この隙間からの音漏れを簡便かつ安価に防止することができる。
【００２６】
なお図では、上蓋部材２０と杭打ち機１２との間の隙間を覆うすだれ状の紙材２４Ａを示しているが、図外の下蓋部材２２と杭１０との間の隙間についても同様にすだれ状の紙材２４Ａが設置される。
【００２７】
リブ２６Ａは、上下方向に間隔をおいてカバー１４の内面１４ａに突設配置したリング状のものである。複数のリブ２６Ａを設けることで内面１４ａは凹凸状を呈するようになる。これにより、カバー１４の内部の騒音は複数のリブ２６Ａによる凹凸状の内面１４ａに当たって乱反射する。これら反射音どうしが干渉して打ち消し合うことで、反射音を効果的に低減することができる。
【００２８】
ここで、リブ２６Ａの形状、大きさ、数量、配置態様等については、杭径、杭長などにより異なる卓越周波数を低減させるのに最適なものに設定することが好ましい。
【００２９】
（実施の形態３）
次に、本発明の実施の形態３について説明する。
図３に示すように、本実施の形態３に係る杭打ち機用防音装置３００は、上記の実施の形態１の音漏れ防止部材２４を紙製のチューブ２４Ｂで構成するとともに、反射音低減部材２６を、吸音材を凹凸状に吹付けた凹凸部２６Ｂで構成したものである。本実施の形態によっても、上記の実施の形態１と同様の作用効果を奏することができる。
【００３０】
チューブ２４Ｂは、上蓋部材２０と杭打ち機１２との間の隙間を塞ぐように密着して設置される。このチューブ２４Ｂの内部にはエアーが充てんされており、隙間との密着性を高めている。こうすることで、隙間からの音漏れを簡便かつ安価に防止することができる。
【００３１】
なお図では、上蓋部材２０と杭打ち機１２との間の隙間を塞ぐ紙製のチューブ２４Ｂを示しているが、図外の下蓋部材２２と杭１０との間の隙間についても同様に紙製のチューブ２４Ｂが設置される。
【００３２】
また、カバー１４の内面１４ａは、吸音材を吹付けた凹凸部２６Ｂにより凹凸状を呈するようになる。これにより、カバー１４の内部の騒音は凹凸部２６Ｂに当たって乱反射する。これら反射音どうしが干渉して打ち消し合うことで、反射音を効果的に低減することができる。
【００３３】
ここで、凹凸部２６Ｂの凹凸形状、大きさ、配置態様等については、杭径、杭長などにより異なる卓越周波数を低減させるのに最適なものに設定することが好ましい。
【００３４】
なお、上記の実施の形態において、音漏れ防止部材２４、反射音低減部材２６の構成については様々な組み合わせが可能である。例えば、上記の実施の形態２において、すだれ状の紙材２４Ａの代わりにチューブ２４Ｂを用いてもよいし、上記の実施の形態３において、チューブ２４Ｂの代わりにすだれ状の紙材２４Ａを用いてもよい。このようにしても、上記と同様の作用効果を奏することができる。
【００３５】
また、上蓋部材２０と杭打ち機１２との間の隙間と、下蓋部材２２と杭１０との間の隙間に設ける音漏れ防止部材２４を同じではなく別の構成としてもよい。例えば、上蓋部材２０側に設けるものをチューブ２４Ｂとし、下蓋部材２２側に設けるものをすだれ状の紙材２４Ａとしてもよい。あるいは上下逆の構成でもよい。このようにしても、上記と同様の作用効果を奏することができる。
【００３６】
以上説明したように、本発明に係る杭打ち機用防音装置によれば、杭の打設時の杭打ち機と前記杭の接触による騒音を防止するための杭打ち機用防音装置であって、前記杭打ち機と前記杭が接触する部分を覆う段ボールからなるカバーと、前記カバーの上下開口を塞ぐ段ボールからなる蓋部材と、前記蓋部材と前記杭打ち機および前記杭との間の隙間に設けられ、この隙間からの音漏れを防止するための音漏れ防止部材と、前記カバーの内面に設けられ、反射音を低減するための反射音低減部材とを備えるので、従来技術に比べて軽量で安価な杭打ち機用防音装置を提供することができる。また、軽量のため取扱いや揚重作業が容易になるとともに、段ボールのカバーと蓋部材により、杭打設時の騒音、特に高音域の騒音の低減効果が期待できる。さらに、段ボールで作製されるため、使用後はリサイクルすることも可能であり、現場のリサイクル率向上に寄与する。
【００３７】
また、本発明に係る他の杭打ち機用防音装置によれば、前記音漏れ防止部材は、前記隙間を覆うように設置されるすだれ状の紙材からなるので、隙間からの音漏れを簡便かつ安価に防止することができる。
【００３８】
また、本発明に係る他の杭打ち機用防音装置によれば、前記音漏れ防止部材は、前記隙間を塞ぐように密着して設置される紙製のチューブからなるので、チューブにエアーを充てんして密着性を高めることで、隙間からの音漏れを簡便かつ安価に防止することができる。
【００３９】
また、本発明に係る他の杭打ち機用防音装置によれば、前記反射音低減部材は、前記カバーの内面に凹凸状に設けられるので、カバーの内部の騒音は凹凸状の内面に当たって乱反射する。これら反射音どうしが干渉して打ち消し合うことで、反射音を効果的に低減することができる。
【産業上の利用可能性】
【００４０】
以上のように、本発明に係る杭打ち機用防音装置は、鋼管杭などの杭を杭打ち機で打設する際に発生する騒音を防止するのに有用であり、特に、軽量で安価な杭打ち機用防音装置を提供するのに適している。
【符号の説明】
【００４１】
１０  杭
１２  杭打ち機
１２ａ  ハンマー部
１４  カバー
１４ａ  内面
１６  上部開口（上下開口）
１８  下部開口（上下開口）
２０  上蓋部材（蓋部材）
２２  下蓋部材（蓋部材）
２４  音漏れ防止部材
２４Ａ  紙材（音漏れ防止部材）
２４Ｂ  チューブ（音漏れ防止部材）
２６  反射音低減部材
２６Ａ  リブ（反射音低減部材）
２６Ｂ  凹凸部（反射音低減部材）
１００，２００，３００  杭打ち機用防音装置
Ａ  接触する部分
【図１】
0006707350.tif 000002
【図２】
0006707350.tif 000003
【図３】
0006707350.tif 000004
【図４】
0006707350.tif 000005